(57)【要約】  【課題】  修正作業を排し、正確なメタデータを自動生成し、番組に関する情報を自動付与することができるインデックス付与システムを提供する。  【解決手段】  各種制御信号を検知するに従い、制御信号の種別や制御信号を一意に特定する識別子を判断し、検知した時刻を取得する制御信号検知部１２と、制御信号の識別子とそれに関する属性情報とを紐付けて管理しておき、制御信号検知部１２で取得した識別子を元に属性情報を判断する制御信号属性情報管理部１４と、制御信号検知部１２で判別した種別や識別子、及び時刻を取得するに従いメタデータを生成し、一方、制御信号属性情報管理部へ要求して取得した属性情報をメタデータに付与するインデックス生成部１３とを備える。【選択図】  図２
2005204291.tif 000002
【特許請求の範囲】
【請求項１】
放送局において利用される各種機器の制御信号を用いてメタデータを生成するシステムであって、
各種制御信号を検知するに従い、制御信号の種別や制御信号を一意に特定する識別子を判別し、検知した時刻を取得する制御信号検知部と、
前記制御信号の識別子とそれに関する属性情報を紐付けて管理しておき、前記制御信号検知部で取得した識別子を元に属性情報を判別する制御信号属性情報管理部と、
前記制御信号検知部で判別した種別や識別子、及び時刻を取得するに従いメタデータを生成し、その一方、前記制御信号属性情報管理部へ要求して取得した属性情報を前記メタデータに付与するインデックス生成部とを備えることを特徴とするインデックス付与システム。
【請求項２】
出演者自身の発声を入力するマイクの音声制御信号を検知してマイクの識別子を判別し、検知した時刻を取得する制御信号検知部と、
前記マイクの識別子とマイクを着用している人物に関する属性情報とを紐付けて管理しておき、前記制御信号検知部で取得した識別子を元に人物に関する属性情報を判別する制御信号属性情報管理部と、
前記制御信号検知部判別した識別子と時刻を取得するに従いメタデータを生成し、その一方、前記制御信号属性情報管理部へ要求して取得した人物に関する属性情報を前記メタデータに付与するインデックス生成部とを備えることを特徴とするインデックス付与システム。
【請求項３】
ＶＴＲを切替えるＶＴＲの制御信号を検知してその識別子を判別し、検知した時刻を取得する制御信号検知部と、
前記ＶＴＲの識別子とＶＴＲに関する属性情報とを紐付けて管理しておき、前記制御信号検知部で取得した識別子を元にＶＴＲに関する属性情報を判別する制御信号属性情報管理部と、
前記制御信号検知部で判別した識別子と時刻を取得するに従いメタデータを生成し、その一方、前記制御信号属性情報管理部へ要求して取得したＶＴＲに関する属性情報を前記メタデータに付与するインデックス生成部とを備えることを特徴とするインデックス付与システム。
【請求項４】
テロップを切替えるテロップの制御信号を検知してその識別子を判別し、検知した時刻を取得する制御信号検知部と、
前記テロップの識別子とテロップに関する属性情報とを紐付けて管理しておき、前記制御信号検知部で取得した識別子を元にテロップに関する属性情報を判別する制御信号属性情報管理部と、
前記制御信号検知部で判別した識別子と時刻を取得するに従いメタデータを生成し、その一方、前記制御信号属性情報管理部へ要求して取得したテロップに関する属性情報を前記メタデータに付与するインデックス生成部とを備えることを特徴とするインデックス付与システム。
【請求項５】
前記制御信号検知部から識別子と時刻を取得するに従い、識別子毎に時刻を整理したログデータを生成し、これを前記インデックス生成部へ出力するログ解析部を備えることを特徴とする請求項１乃至４の何れかに記載のインデックス付与システム。
【請求項６】
前記ログ解析部は、制御信号の識別子と検知時刻を用いて識別子毎に時刻を整理したログデータを生成し、これをネットワークあるいはリムーバブルメディアへ出力するログ出力部と、ネットワークあるいはリムーバブルメディアを介してログデータを入力し、前記インデックス生成部へログデータを出力するログ入力部とを備えることを特徴とする請求項５に記載のインデックス付与システム。
【請求項７】
前記インデックス付与システムは、マイク、ＶＴＲ、及びテロップの何れかの制御信号を検知して、その種別や識別子、及び時刻を取得するに従いメタデータを生成し、その一方、前記制御信号に関する属性情報を前記メタデータに付与することを特徴とする請求項１に記載のインデックス付与システム。
【請求項８】
前記制御信号検知部は、入力される制御信号を検知してその種別や識別子を判別する制御信号種別判別部と、制御信号の判別を可能にするため前記制御信号とその種別や識別子を紐付けて管理する制御信号種別管理部と、制御信号を検知した時刻を取得する時刻取得部と、判別された種別や識別子、及び取得した時刻を前記インデックス生成部に送り、メタデータ生成を要求するインデックス生成要求部とを備えることを特徴とする請求項１乃至４の何れかに記載のインデックス付与システム。
【請求項９】
前記制御信号検知部は、入力された音声信号の音圧レベルを測定し、発声の有無を判断するマイク信号音圧レベル判定部を備えることを特徴とする請求項２または８に記載のインデックス付与システム。
【請求項１０】
前記マイク信号音圧レベル判定部は、測定した音圧レベルが一定値以上の場合にだけ、発話されたものと判断し、前記制御信号種別判別部へ音声制御信号を通知することを特徴とする請求項９に記載のインデックス付与システム。
【請求項１１】
前記マイク信号音圧レベル判定部は、測定した音圧レベルを判定し、この音圧レベルが一定期間継続して達していた場合にだけ、発話されたものと判断し、前記制御信号種別判別部へ音声制御信号を通知することを特徴とする請求項９に記載のインデックス付与システム。
【請求項１２】
前記制御信号属性情報管理部は、各種機器の制御信号を一意に特定する識別子と各種機器を利用する者あるいは各種機器に関する情報である属性情報とを紐付けて格納する属性情報データベースと、前記インデックス生成部から属性情報の要求を受け付けて前記属性情報データベースから属性情報を取得する属性情報管理部と、前記属性情報データベースに格納する前記識別子や属性情報の登録を受け付ける属性情報登録部とを備えることを特徴とする請求項１乃至４の何れかに記載のインデックス付与システム。
【請求項１３】
制御信号属性情報管理部は、属性情報の詳細情報を格納しているデータベースへ接続するデータベース検索部を備え、前記データベースから取得した詳細情報をインデックス生成部で生成するメタデータに自動付与することを特徴とする請求項１２に記載のインデックス付与システム。
【請求項１４】
前記データベースは、人物、ニュース、及び台本の少なくとも何れかの詳細情報を格納したデータベースであることを特徴とする請求項１３に記載のインデックス付与システム。
【請求項１５】
前記属性情報登録部へ登録される識別子及び属性情報は、ＶＴＲ編集装置あるいはテロップ作成装置とオンライン接続され、ＶＴＲ編集装置あるいはテロップ作成装置を操作することにより取得あるいは入力した情報をオンライン登録することを特徴とする請求項１２に記載のインデックス付与システム。
【請求項１６】
前記属性情報登録部へ登録される識別子及び属性情報は、各種機器を操作することにより取得あるいは入力された情報をリムーバブルメディアを介して登録することを特徴とする、請求項１２に記載のインデックス付与システム。
【発明の詳細な説明】
【技術分野】
【０００１】
本発明は、放送局システムの番組製作現場において利用される各種制御信号を使用してインデックスを自動付与するインデックス付与技術に関する。
【背景技術】
【０００２】
放送番組における自動的なインデックス付与手法として、顔画像認識技術、テロップ文字認識技術、音声認識、話者認識技術を用いることにより、番組出演者の特定やあるシーンでの話者特定を行い、その結果をメタデータ化しインデックス付与する手法が一般的である。例えば、特許文献１のように、テロップの文字列を文字認識することによって、映像にメタデータとして付与する手法がある。ここで、「メタデータ」とは放送番組などのコンテンツの識別子、名前、出演者、内容などを記述したデータをいう。
【特許文献１】特開平１１−１６７５８３号公報
【発明の開示】
【発明が解決しようとする課題】
【０００３】
顔画像認識技術は、画面位置や背景映像、複数の被写体が同時に映る場合など、認識率にバラツキが生じ、精度の高いメタデータ化は難しかった。テロップ文字認識に関しても、テロップ文字の出現位置、背景映像、文字のフォントなどに制限があり、環境に左右されない確度の高い認識は困難であった。また、音声認識や話者認識技術に関しても、複数話者が混在する番組や、不特定多数の話者が頻出する場合には誤認識が多く発生し、やはり人手による修正作業という負荷がかかっていた。
【０００４】
このように、各種認識技術を用いる場合、正確なメタデータを付与するためには人手の介在（修正作業）が必要であり、極力人手による修正作業を排したいメタデータの自動付与には程遠いのが現実であった。
【０００５】
本発明は、かかる点に鑑みてなされたものであり、修正作業を排し、正確なメタデータを自動生成し、番組に関する情報を自動付与することができるインデックス付与システムを提供することを目的とする。
【課題を解決するための手段】
【０００６】
本発明の自動インデックス付与システムは、放送局において利用される各種機器の制御信号を用いてメタデータを自動付与するインデックス付与システムであって、各種制御信号を検知するに従い、制御信号の種別や制御信号を一意に特定する識別子を判断し、検知した時刻を取得する制御信号検知部と、制御信号の識別子とそれに関する属性情報とを紐付けて管理しておき、制御信号検知部で取得した識別子を元に属性情報を判断する制御信号属性情報管理部と、制御信号検知部で判別した種別や識別子、及び時刻を取得するに従いメタデータを生成し、一方、制御信号属性情報管理部へ要求して取得した属性情報をメタデータに付与するインデックス生成部とを備えることを特徴としている。
【０００７】
また、本発明の自動インデックス付与システムは、制御信号検知部から識別子と時刻を取得するに従い、識別子毎に時刻を整理したログデータを生成し、これをインデックス生成部へ出力するログ解析部を備えることを特徴としている。ログ解析部は、制御信号の識別子と検知時刻を用いて識別子毎に時刻を整理したログデータを生成し、ネットワークあるいはリムーバブルメディアへログデータを出力するログ出力部と、ネットワークあるいはリムーバブルメディアを介してログデータを入力し、インデックス生成部へログデータを送るログ入力部とを備えることを特徴としている。
【０００８】
また、本発明の自動インデックス付与システムは、制御信号属性情報管理部が、属性情報の詳細情報を格納しているデータベースへ接続するデータベース検索部を備え、データベースから取得した詳細情報をインデックス生成部で生成するメタデータに自動付与することを特徴としている。ここで、属性情報の詳細情報を格納しているデータベースとは、人物、ニュース、及び台本の少なくとも何れかの詳細情報を格納したデータベースであることを特徴としている。
【発明の効果】
【０００９】
本発明によれば、制御信号検知部が番組放送中に利用される各種制御信号を検知してその種別や識別子と時刻を判断し、これをインデックス生成部が取得するに従い、メタデータを自動生成するようにしている。また、インデックス生成部は、各種制御信号の識別子とその属性情報とを紐付けて管理させた制御信号属性情報管理部に対して、判別された識別子に紐付けられている属性情報を要求、取得し、それをメタデータに自動付与するようにしている。すなわち、本発明は、番組放送を構成する様々な情報を示すメタデータの生成を番組放送中に同期して自動生成することが可能になり、従来の人手によるメタデータ生成作業を大幅に削減し、かつ正確な情報を付与することができるという効果が得られる。
【００１０】
また、本発明によれば、ログ解析部を用いることにより、識別子毎に時刻を整理したログデータを生成し、これをインデックス生成部へ出力するようにしているので、ログデータを用いることによりメタデータをまとめて生成することができる。また、ログデータを生成することにより、番組放送を構成する様々な情報を示すメタデータの生成を番組放送中に同期しなくても、いつでも自動生成することが可能になり、従来の人手によるメタデータ生成作業を大幅に削減し、かつ正確な情報を付与することができるという効果が得られる。
【００１１】
さらに本発明によれば、識別子を元に取得した属性情報をさらに検索キーとして人物、ニュース、及び台本等に関する詳細情報を別のデータベースから取得し、これをメタデータに付与することができる。これにより、取得した属性情報が少ない場合でも、正確で情報豊富なメタデータを自動的に生成することができる。
【発明を実施するための最良の形態】
【００１２】
以下、本発明の実施の形態について、図面を参照して詳細に説明する。本発明の骨子は、番組を放送する局システムにおいて利用される各種機器の制御信号を制御信号検知部で検知して、その種別や識別子、時刻を取得してメタデータを生成し、また、制御信号検知部で検知した制御信号に紐付けられる属性情報を制御信号属性情報管理部から取得し、それをメタデータに付与することによって、番組のメタデータを正確に自動生成し、メタデータに情報を自動付与していくものである。ここで、種別は機器の種類を判別するものであり、識別子は同種類の機器を一意に特定するために付与されるものである。
【実施例１】
【００１３】
以下、本発明の第１実施例を説明する。図１は、本発明の一実施の形態に係るインデックス付与システムのメインブロックの構成である。図１に示すインデックス付与システム１０は、番組放送の制作・収録・送出を行なう番組放送スタジオシステム１１と、番組放送を行なうに際して番組放送スタジオシステム１１から出力される制御信号を検知し、制御信号の種別やその識別子、時刻などを判断する制御信号検知部１２と、制御信号の識別子とそれに関する属性情報とを紐付けて管理しておき、制御信号検知部１２が取得した識別子を元に属性情報を判断する制御信号属性情報管理部１４と、制御信号検知部１２から種別、識別子、検知時刻などを取得するに従いメタデータを生成し、その一方、制御信号属性情報管理部１４に対して要求、取得した属性情報をメタデータに付与するインデックス生成部１３とから構成される。
【００１４】
図２は、実際に放送局などでインデックス付与システム１０を適用する場合に考えられる放送システムの概略構成を示すブロック図である。この放送システムは大きく分けてスタジオ１と、このスタジオ１へ指示を出したり、スタジオ１から映像信号や音声信号などを取り込んで番組制作・収録・送出作業を行なう調整ブース２とから成っている。
【００１５】
スタジオ１にはアナウンサーや出演者が装着するマイクロフォンとしてのピンマイク（Ｐｍ１，Ｐｍ２，Ｐｍ３がある）２０とスタジオカメラ（ＳｔＣ１，ＳｔＣ２がある）３０等が配置されている。また、調整ブース２には、図１に示した制御信号検知部１２、インデックス生成部１３、及び制御信号属性情報管理部１４以外に、スタジオ１のどのスタジオカメラ（ＳｔＣ１かＳｔＣ２か）がオンエア映像として放送するかを切替えるカメラ切替スイッチ１５、ＶＴＲに記録された映像を切替えるＶＴＲ切替スイッチ１６、カメラ映像に挿入するテロップ映像を切替えるテロップ切替スイッチ１７、出演者が装着するマイクで拾った音声を集音するかを切替える音声切替えスイッチ１８などを組み込んで一元管理する編集スイッチ１９と、テロップ映像を生成するテロップ発生機５０と、テロップ発生機５０におけるテロップ生成動作をコントロールするためのテロップ作成機５１と、ＶＴＲの記録再生動作を制御するＶＴＲ制御機４０と、番組放送素材の編集処理を行なうための編集ＰＣ（パーソナルコンピュータ）４１と、実際にＶＴＲの再生処理を実行するカートマシン４２と、中継放送のための制御を行なう中継制御機６０とが配置されている。
【００１６】
編集スイッチ１９は制御信号検知部１２に接続されており、制御信号検知部１２は編集スイッチ１９からの各種制御信号を検知する。つまり、ピンマイク２０が出力するピンマイク音声信号、スタジオカメラ３０が出力するスタジオカメラ切替信号、ＶＴＲ制御機４０が出力するＶＴＲ切替信号、テロップ発生機５０が出力するテロップ切替信号など各種機器が出力する制御信号の入力検知を行う。なお、ピンマイク２０、スタジオカメラ３０、ＶＴＲ制御機４０、編集ＰＣ４１、カートマシン４２、テロップ発生機５０、テロップ作成機５１、中継制御機６０などは図２のように接続されている。
【００１７】
次いで図３を用いて制御信号検知部１２の内部構成を説明する。制御信号検知部１２は、入力される制御信号を検知してその種別やその識別子を判別し、時刻を取得した上でインデックス生成部１３に対してメタデータ生成の要求を行うものである。制御信号検知部１２は、制御信号を検知してその種別や識別子を判別する制御信号種別判別部１２１、制御信号の判別を可能にするため、制御信号とその種別や識別子を紐付けて管理する制御信号種別管理部１２２、制御信号が検知された時刻を取得する時刻取得部１２５、判別された種別やその識別子、取得した時刻をインデックス生成部１３に送り、メタデータ生成の要求を行うインデックス生成要求部１２４から成る。ここで、制御信号種別管理部１２２には、システム運用前に制御信号を登録し、その種別や識別子についても登録しておく。識別子の登録については、制御信号の登録に従い、自動的に付与させるようにしてもよい。
【００１８】
制御信号種別判別部１２１は、入力される制御信号のヘッダ部分を解析することによって、その種別やその識別子を判別する。制御信号は種別やその識別子などの情報を含むヘッダ部２００と制御信号そのもののボディ部２０１とに分けることができ、このヘッダ部２００の信号種別を表すビット列を解析し、制御信号種別管理部１２２に登録されている信号種別２１１や信号ＩＤ２１０（識別子）と比較することにより、入力される制御信号の種別やその識別子を判別する。また、図４は、制御信号である音声信号の音圧レベルを判定する場合の制御信号検知部１２の内部構成である。番組出演者に付与されるマイク３０から入力される音声は、音声切替スイッチ１８を経てマイク信号音圧レベル判別部１２３に入力される。マイク信号音圧レベル判別部１２３は、入力される音声の音圧レベルを検知する。
【００１９】
図５は、デジタル化された制御信号の構造例を示した図である。制御信号のヘッダ部２００の上位８ビットに信号種別を示す情報、下位８ビットに信号種別を一意に特定する識別子を示す情報が割り当てられている。図６は制御信号種別管理部１２２における管理データの構成例を示す図である。制御信号種別管理部１２２は、制御信号の種別を示す情報２１１、信号種別を一意に特定する識別子情報２１２、信号種別情報２１１に対応する種別２１３、及び識別子情報２１２に対応する信号ＩＤ（識別子）２１０を紐付けてテーブル形式で管理する。
【００２０】
制御信号検知部１２の制御信号種別判別部１２１に対して、図５に示す制御信号が入力された場合、制御信号種別判別部１２１は制御信号のヘッダ部を抽出し、制御信号種別管理部１２２に対して種別やその識別子を問い合わせる。制御信号種別管理部１２２では、信号種別情報を示すヘッダ部２００の上位８ビットは「００００００１０」であるので、制御信号種別管理部１２２は信号種別情報２１１の一致する項目に紐付けられている「ピンマイク」の種別２１３であることを判断し、さらに、下位８ビットは「０００００００１」であるので、識別子情報２１２の一致する項目に紐付けられている「ＰＭ−１」の識別子２１０であることを判断する。これにより、制御信号種別管理部１２２は、入力された制御信号は種別が「ピンマイク」であり識別子が「ＰＭ−１」であることを判断し、制御信号種別判別部１２１に対して「ピンマイク」や「ＰＭ−１」を通知する。
【００２１】
なお、ここでは、種別と識別子を制御信号種別判別部１２１に対して通知しているが、識別子だけで種別を判断できるのであれば、識別子（「ＰＭ−１」）だけを通知しても良い。また、信号の種別やその識別子を判定するためのビット列の長さや位置などは既述の例に限定されるものではない。さらに、入力信号から識別子への変換プロセスについても、アナログ信号から直接種別やその識別子を判断したり、検知したい制御信号の数だけ制御信号判別部１２１に別々に入力系統を用意し、それぞれ別の入力系統から入力される入力信号を判断しても良い。また、編集スイッチ１９にＧＵＩ(Graphical User Interface)機能を設け、このＧＵＩ上で入力信号と識別子との関連付け設定を事前に行い、入力信号を識別子に変換しても良い。
【００２２】
次に図７を用いて制御信号属性情報管理部１４の内部構成を説明する。制御信号属性情報管理部１４は、事前に各種制御信号と属性情報とを紐付けられるよう登録がされている。例えば、制御信号を一意に特定する識別子と属性情報とを紐付けて管理しておき、制御信号検知部１２が取得した識別子を元に属性情報を判別できるようにする。
【００２３】
制御信号属性情報管理部１４は、各種制御信号の識別子や属性情報を登録する属性情報登録部１４１、属性情報登録部１４１からの登録を受けて属性情報データベース１４３に属性情報を登録し、また、インデックス生成部１３からの属性情報要求を受け付け、属性情報データベース１４３から識別子を元に属性情報を読出す等の管理をする属性情報管理部１４２、及び制御信号の種別やその識別子、ならびにそれに対応する属性情報を紐付けて格納する属性情報データベース１４３から成る。
【００２４】
属性情報の登録は、番組の制作や編集に関わる者が手作業で登録を行なう他に、放送局において利用される各種機器からオンラインで登録することもできる。例えば、テロップ作成機５１で作成する文字列や編集ＰＣ４１で編集したＶＴＲの映像等の情報を流用し、各種機器の識別子と紐付けてオンライン登録することができる。これにより、文字列や映像情報等を示した属性情報の登録作業が軽減される。
【００２５】
つづいてインデックス生成部１３を説明する。インデックス生成部１３は、制御信号の種別やその識別子と検知時刻を取得するに従いメタデータを生成し、その一方、制御信号属性情報管理部１４に対して取得した識別子に紐付けられた属性情報を要求し、制御信号属性情報管理部１４から取得した属性情報を生成しているメタデータに付与するものである。
【００２６】
以上のように構成されたインデックス付与システムにおいて、各種機器の制御信号を検知した場合にメタデータを生成するまでの処理の流れについて、以下説明する。
＜ピンマイクの制御信号を検知した場合＞
はじめに、ピンマイクを使用する場合のメタデータ生成について説明する。各々の番組出演者がピンマイクを着けることによって、自分の発声は自分のピンマイクで集音するというスタイルが番組収録では一般的である。特にニュース番組など、明瞭な発声を必要とする番組では、話者の口からの距離を一定に保つことが可能なピンマイクの利用が好まれている。このピンマイク利用の利点は、上に述べた話者の口から一定距離を保持しやすいことによる音声の明瞭化の他にも、他者の発話音声を拾いにくい、という点が挙げられる。つまり、それぞれのピンマイクには特定の人物の発話音声のみ集音されると言えるので、ピンマイクに入力される音声と特定の人物を関連付けることが可能になると考えられる。
【００２７】
既に説明したように、制御信号検知部１２の制御信号種別管理部１２２には、各種機器の制御信号、種別、識別子が番組の放送・収録より前に登録されている。つまり、音声に切り替える音声制御信号が検知された場合にピンマイクの信号であることを判別し、さらにどのピンマイクの入力があったのかを判別できるようピンマイクの制御信号、種別、識別子を事前に登録し、制御信号検知後は種別や識別子に変換させる。一方、ピンマイクを誰が着けるのか（どの識別子が誰に対応するのか）については、制御信号属性情報管理部１４に登録しておく。
【００２８】
図８は制御信号属性情報管理部１４の属性情報データベース１４３に登録されたピンマイク識別子とそのピンマイクを着用する出演者との関係を表したものであり、ピンマイクが出力する信号に対応する識別子と、ピンマイク着用者を組にして管理登録されることを想定している。図８ではピンマイクの識別子である、ＰＭ−１、ＰＭ−２、ＰＭ−３が、デフォルトの状態ではそれぞれ出演者Ａ、出演者Ｂ、出演者Ｃと紐付けられていることを示しており、実際に出演者を登録する段階で属性情報登録部１４１に対して属性情報の更新処理をすることでそれぞれのピンマイクの着用者である、山田太郎、田中二郎、鈴木花子が紐付けられて更新管理されていることを示している。また属性情報データベース１４３には、一度設定された属性情報が記録されており、以降は属性情報データベース１４３から選択式などの手法で簡単に属性情報を識別子と関係付けることができる。
【００２９】
図９はピンマイクに入力された音声制御信号の音圧レベルを検知し、音圧レベルに達した音声制御信号を制御信号種別判別部１２１に通知するまでのフローチャート、図１０は制御信号種別判別部１２１に音声制御信号が通知されてからメタデータ生成要求を行うまでのフローチャートである。図９及び図１０のフローチャートにしたがってメタデータ生成処理の流れを説明する。番組の収録が開始されると、発話が起こる度にピンマイクから音声制御信号が音声切替えスイッチ１８を経由して制御信号検知部１２のマイク信号音圧レベル判別部１２３へ入力される（Ｓ２０、Ｓ２１）。
【００３０】
マイク信号音圧レベル判別部１２３では、雑音などを発話とみなさず、ある一定以上の音圧レベルに達した音声制御信号のみ、発話が行われているものとみなし、制御信号種別判別部１２１に音声制御信号が入力される。一方、一定以上の音圧レベルに達していない音声制御信号は、発話が行われていないもの、終了したものとみなされ、制御信号種別判別部１２１には音声制御信号が入力されない、あるいは発話が終了したことを通知する。
【００３１】
具体的には、入力された音声制御信号の音圧レベルが一定値を超えているかを判定（Ｓ２２）し、超えている場合には発話フラグ（当該話者の発話が既に開始されているのかを判断するための内部フラグ）を確認（Ｓ２３）し、発話フラグがＯＦＦなら当該信号ＩＤの発話フラグをＯＮにして（Ｓ２５）制御信号種別判別部１２１へ音声制御信号を入力し、発話が開始されていることを通知する（Ｓ２７）。同様に発話フラグがＯＮの時に入力された音声制御信号の音圧レベルが一定値を下回った場合には発話フラグをＯＦＦにして（Ｓ２４）、制御信号種別判別部１２１へ音声制御信号を入力し、発話が終了していることを通知する（Ｓ２７）。なお、ここでは、発声の開始や終了を検知するために、一定以上の音圧レベルに達した場合や音圧レベルを下回った場合にのみ制御信号種別判別部１２１へその旨の通知を行うことを説明したが、一定期間継続して音圧レベルを達していた場合に限って発話されたものと判断して、制御信号種別判別部１２１に音声制御信号を通知するようにしても良い。また、一定期間継続して音圧レベルを下回っていた場合に限っても制御信号種別判別部１２１に通知するようにしても良い。
【００３２】
制御信号種別判別部１２１に音声制御信号が入力されると、制御信号種別判別部１２１は、そのヘッダ部を抽出して制御信号種別管理部１２２へ送り、音声制御信号に対応している種別や識別子を問い合わせる。制御信号種別管理部１２２ではヘッダ部２００に示されている信号種別情報や信号識別子を元に音声制御信号の種別や識別子を判別し、制御信号種別判別部１２１に対して、種別や識別子を通知する。なお、ここで、識別子だけで種別も判断できるのであれば（図６参照）、識別子だけを通知しても良い（Ｓ１２）。
【００３３】
制御信号種別判別部１２１は、種別や識別子を取得するに従い、それらをインデックス生成要求部１２４へ送り、インデックス生成要求１２４は、それに従い、時刻取得部１２５に対して現在時刻を問い合わせ、時刻を取得する（Ｓ１３）。インデックス生成要求部１２４は、音声制御信号の種別や識別子、時刻を取得するに従い、これらをインデックス生成部１３へ送り、インデックス（メタデータ）生成を要求する（Ｓ１４）。
【００３４】
インデックス生成部１３は、制御信号検知部１２（インデックス生成要求部１２４）から種別や識別子、時刻を取得するに従いメタデータを生成していき、その一方、種別や識別子を制御信号属性情報管理部１４へ送り、属性情報を問い合わせる。制御信号属性情報管理部１４は、送られてくる種別や識別子を元に紐付けられて管理している属性情報を取得し、これをインデックス生成部１３に通知する。インデックス生成部１３は属性情報が通知されるに従い、生成しているメタデータに属性情報を付与する。制御信号検知部１２が音声制御信号を検知する度に上記の処理を行っていくことにより、ピンマイクを着用している出演者の発話の開始及び終了時刻を出演者毎に整理したメタデータを生成することができる。
【００３５】
図１１は、インデックス生成部１３で生成される制御信号の種別や識別子とその属性情報の関係を模式化したものである。例えば制御信号の信号ＩＤ＝ＰＭ−１からの音声信号は、時刻ｔ１からｔ２の間、ｔ３からｔ４の間、ｔ５からｔ６の間に検知されたことを示しており、ある区間での話者の特定を行うことができる。図１２は、上記処理の結果をＸＭＬ（eXtensible Markup Language）表現した一例であり、話者がどの時間に発話を開始し、終了したかが一目でわかる。
【００３６】
以上、番組出演者の発声と同時にその制御を行う音声制御信号を制御信号検知部が検知することにより、どのタイミングで、誰が発話したのかという情報を自動的かつ正確にメタデータ生成でき、さらにその属性情報も付与することにより、従来の人手によるメタデータ生成に比して大幅なコスト削減が達せられる。
【００３７】
また、話者の特定や発話時刻だけでなく、ピンマイクからの音声信号に音声認識技術を適用することにより、発話内容の特定を行うことも考えられる。この場合、図１２に示した話者特定情報ＸＭＬに音声認識結果を付加することによって、「何を」話したのかという情報を付与することも可能である。
＜ＶＴＲの制御信号を検知した場合＞
次に、ＶＴＲを使用する場合のメタデータ生成について説明する。ニュース番組に代表される生放送番組において、編集済みのＶＴＲ映像を１つのコーナーやトピックとして放送することは多い。ＶＴＲは編集ＰＣ４１で編集、出力される。
【００３８】
また、制御信号検知部１２の制御信号種別管理部１２２には、各種機器の制御信号、種別、識別子がシステム運用前に登録されている。つまり、番組放送中にＶＴＲ制御機４０を用いてＶＴＲに切り替えられる際、ＶＴＲ切替スイッチ１６から出力されるＶＴＲ制御信号を制御信号検知部１２が検知し、さらにどのＶＴＲの入力であったのかを判別できるようＶＴＲの制御信号、種別、識別子を事前に登録しておく。また、ＶＴＲは、その編集時に「タイトル」、「内容」、「ロケ地」、「時間」等も記録されると考えられる。これらの属性情報は、制御信号属性情報管理部１４にも登録され、どのＶＴＲであるのかを識別するために、属性情報（ここではタイトル）と識別子を紐付けて管理する。ここで、制御信号属性情報管理部１４へ登録される属性情報と識別子は、編集ＰＣ４１からのオンライン接続により登録することもできる。これにより、ＶＴＲ編集と同時期に作成した属性情報と識別子がそのまま制御信号属性情報管理部１４へ自動登録される。また、オンライン登録ではなく、ＣＤ−ＲＯＭやフレキシブルディスク、ＤＶＤ、ＳＤメモリカードなどのリムーバブルメディアに属性情報と識別子を記録し、そのリムーバブルメディアを用いて制御信号属性情報管理部１４へ登録することもできる。
【００３９】
図１３は制御信号属性情報管理部１４の属性情報データベース１４３に登録されたＶＴＲ識別子とＶＴＲのタイトルとの関係を表したものであり、ＶＴＲの識別子と、タイトルを組にして管理登録されることを想定している。図１３では、ＶＴＲの識別子である、ＶＴＲ−１、ＶＴＲ−２，ＶＴＲ−３が、それぞれ撮影した映像のタイトル「焼死体事件続報」、「解散前夜の永田町」、「スポーツコーナー映像」と紐付けられて管理されている。なお、属性情報データベース１４３に登録される属性情報は、ＶＴＲのタイトル以外に、ＶＴＲの内容、時間、ロケ地、出演者、収録時期などの情報を紐付けて管理しても良い。
【００４０】
番組放送中、編集室のＶＴＲ切替スイッチ１６を操作することにより、指定したＶＴＲはＶＴＲ制御機４０によって放送され、一方、これと同時にＶＴＲ制御信号は制御信号検知部１２の制御信号種別判別部１２１に入力される。制御信号種別判別部１２１にＶＴＲ制御信号が入力されると、図１０に示す処理フローに従い、制御信号種別判別部１２１は、そのヘッダ部を抽出して制御信号管理部１２２へ送り、ＶＴＲ制御信号に対応している種別や識別子を問い合わせる。制御信号種別管理部１２２ではヘッダ部２００に示されている信号種別情報や信号識別子を元にＶＴＲ制御信号の種別や識別子を判別し、制御信号種別判別部１２１に対して、種別や識別子を通知する。なお、ここで、識別子だけで種別も判断できるのであれば（図６参照）、識別子だけを通知しても良い。
【００４１】
制御信号種別判別部１２１は、種別や識別子を取得するに従い、それらをインデックス生成要求部１２４へ送り、インデックス生成要求１２４は、それに従い、時刻取得部１２５に対して現在時刻を問い合わせ、時刻を取得する。インデックス生成要求部１２４は、音声制御信号の種別や識別子、時刻を取得するに従い、これらをインデックス生成部１３へ送り、インデックス（メタデータ）生成を要求する。
【００４２】
インデックス生成部１３は、制御信号検知部１２（インデックス生成要求部１２４）から種別や識別子、時刻を取得するに従いメタデータを生成していき、その一方、種別や識別子を制御信号属性情報管理部１４へ送り、属性情報を問い合わせる。制御信号属性情報管理部１４は、送られてくる種別や識別子を元に紐付けられて管理している属性情報を取得し、これをインデックス生成部１３に通知する。インデックス生成部１３は属性情報が通知されるに従い、生成しているメタデータに属性情報を付与する。
【００４３】
ＶＴＲの制御と同時に編集スイッチ１９から出力されるＶＴＲ制御信号を制御信号検知部１２が検知する度に上記の処理を行っていくことにより、ＶＴＲが使用された時刻をＶＴＲ毎に整理したメタデータを生成し、属性情報を付与することができる。図１４は、上記処理の結果をＸＭＬ表現した一例であり、ＶＴＲがどの時刻に放送され、またそのタイトルがどのようなものであるかが一目でわかる。
【００４４】
以上、ＶＴＲが使用されると同時にＶＴＲ制御信号を制御信号検知部で検知することにより、ＶＴＲがいつ使用されたのかという情報を自動的かつ正確にメタデータ化し、さらにその属性情報も付与することにより、従来の人手によるメタデータ生成に比して大幅な工数削減が達せられる。
＜テロップの制御信号を検知した場合＞
次に、テロップを使用する場合のメタデータ生成について説明する。番組放送において人物の氏名や日付時刻、場所、内容説明など、画面説明補助の用途でテロップを利用することは多い。テロップはテロップ文書作成ツール等の電子的な処理を行うテロップ作成機５１で作成、出力される。
【００４５】
また、制御信号検知部１２の制御信号種別管理部１２２には、各種機器の制御信号、種別、識別子がシステム運用前に登録されている。つまり、番組放送中にテロップ発生機５０を用いてテロップが使用される際、テロップ切替スイッチ１７から出力されるテロップ制御信号を制御信号検知部１２が検知し、さらにどのテロップの入力であったのかを判別できるようテロップの制御信号、種別、識別子を事前に登録しておく。また、テロップは、その作成時に「文字列」、「文字列の種別」、「フォント」、「字体」、「色」等の情報も記録されると考えられる。これらの属性情報は、制御信号属性情報管理部１４にも登録され、どのテロップであるのかを識別するために、属性情報（ここでは文字列）と識別子を紐付けて管理する。ここで、制御信号属性情報管理部１４へ登録される属性情報と識別子は、テロップ作成機５１からのオンライン接続により登録することもできる。これにより、テロップ作成と同時期に作成した属性情報と識別子がそのまま制御信号属性情報管理部１４へ自動登録される。また、オンライン接続ではなく、ＣＤ−ＲＯＭやフレキシブルディスク、ＤＶＤ、ＳＤメモリカードなどのリムーバブルメディアに属性情報と識別子を記録し、そのリムーバブルメディアを用いて制御信号属性情報管理部１４へ登録することもできる。
【００４６】
図１５は制御信号属性情報管理部１４の属性情報データベース１４３に登録されたテロップ識別子とテロップ文字列との関係を表したものであり、テロップの識別子と、文字列を組にして管理登録されることを想定している。図１５では、テロップの識別子である、ＴＰ−１、ＴＰ−２、ＴＰ−３、ＴＰ−４がそれぞれ作成したテロップの文字列やその種別「山田太郎、人名」、「佐藤二郎、人名」、「焼死体事件続報、トピック名」、「解散前夜の永田町、トピック名」と紐付けられて管理されている。なお、属性情報データベース１４３に登録される属性情報は、テロップの文字列やその種別以外に、テロップのフォント、字体、色などの情報を紐付けて管理しても良い。
【００４７】
番組放送中、編集室のテロップ切替スイッチ１７を操作することにより、指定したテロップはテロップ発生機５０によって放送され、一方、これと同時にテロップ制御信号は制御信号検知部１２の制御信号種別判別部１２１に入力される。制御信号種別判別部１２１にテロップ制御信号が入力されると、図１０に処理フローに従い、制御信号種別判別部１２１は、そのヘッダ部を抽出して制御信号管理部１２２へ送り、テロップ制御信号に対応している種別や識別子を問い合わせる。制御信号種別管理部１２２ではヘッダ部２００に示されている信号種別情報や信号識別子を元にテロップ制御信号の種別や識別子を判別し、制御信号種別判別部１２１に対して、種別や識別子を通知する。なお、ここで、識別子だけで種別も判断できるのであれば（図６参照）、識別子だけを通知しても良い。
【００４８】
制御信号種別判別部１２１は、種別や識別子を取得するに従い、それらをインデックス生成要求部１２４へ送り、インデックス生成要求１２４は、それに従い、時刻取得部１２５に対して現在時刻を問い合わせ、時刻を取得する。インデックス生成要求部１２４は、音声制御信号の種別や識別子、時刻を取得するに従い、これらをインデックス生成部１３へ送り、インデックス（メタデータ）生成を要求する。
【００４９】
インデックス生成部１３は、制御信号検知部１２（インデックス生成要求部１２４）から種別や識別子、時刻を取得するに従いメタデータを生成していき、その一方、種別や識別子を制御信号属性情報管理部１４へ送り、属性情報を問い合わせる。制御信号属性情報管理部１４は、送られてくる種別や識別子を元に紐付けられて管理している属性情報を取得し、これをインデックス生成部１３に通知する。インデックス生成部１３は属性情報が通知されるに従い、生成しているメタデータに属性情報を付与する。
【００５０】
テロップの制御と同時に編集スイッチ１９から出力されるテロップ制御信号を制御信号検知部１２が検知する度に上記の処理を行っていくことにより、テロップが使用された時刻をテロップ毎に整理したメタデータを生成し、属性情報を付与することができる。図１６は、上記処理の結果をＸＭＬ表現した一例であり、このＸＭＬからテロップがどの時刻に放送され、またそのテロップがどのようなものであるかが一目でわかる。
【００５１】
以上、テロップが使用されると同時にテロップ制御信号を制御信号検知部で検知することにより、テロップがいつ使用されたのかという情報を自動的かつ正確にメタデータ化し、さらにその属性情報も付与することにより、従来の人手によるメタデータに比して大幅な工数削減が達せられる。従来のテロップを利用したメタデータ生成技術は、テロップの文字列そのものを認識することによって情報を取得していたために誤認識があり、誤ったメタデータが付与されたが、本発明は、誤ったメタデータが付与されるようなことはない。
＜カメラの制御信号を検知した場合＞
次に、スタジオカメラを使用する場合のメタデータ生成について説明する。番組放送は、スタジオにある多数のカメラを用い、それらを切り替えて撮影することにより、放送を行っている。スタジオカメラ３０の切り替えは、カメラ切替えスイッチ１５により切り替えられ、これと同時にカメラ切替えスイッチ１５は、制御信号検知部１２へカメラ制御信号を送る。
【００５２】
また、制御信号検知部１２の制御信号種別管理部１２２には、各種機器の制御信号、種別、識別子がシステム運用前に登録されている。つまり、カメラを切り替えるカメラ制御信号が送られてきた場合にカメラが切り替えられたことを判別し、さらにどのカメラが切り替えられたのかを判別できるようカメラの制御信号、種別、識別子を事前に登録しておく。カメラが切り替えられると同時にカメラ制御信号を制御信号検知部１２で検知することにより、どのカメラがいつ使用されたのかというカメラワーク情報を自動的かつ正確にメタデータ化することができる。また、中継映像からスタジオ映像への切替を行ったカメラ制御信号を検知することにより、中継映像の挿入情報をメタデータ化することもできる。
【００５３】
この他にも、ＲＦタグ（Ｒａｄｉｏ  Ｆｒｅｑｕｅｎｃｙ  タグ）を番組出演者に取り付け、カメラ３０にＲＦタグからの信号を読み出すリーダーを設置することにより、どの出演者が現在映像に映っているのかを判断することができ、この情報をメタデータ化することもできる。この場合、制御信号検知部１２の制御信号種別管理部１２２には、ＲＦタグの信号、種別、識別子がシステム運用前に登録され、制御信号属性情報管理部１４の属性情報データベース１４３には、ＲＦタグの識別子とＲＦタグが取り付けられている出演者に関する属性情報となる主演者の指名や生年月日等が紐付けられて登録される。
【００５４】
また、これらの各種制御信号を単独で利用するのではなく、２つ以上の制御信号を制御信号検知部１２が同時に検知することにより、各種機器がいつ使用されたのかという情報を自動的かつ正確にメタデータ化し、さらにそれらの属性情報も付与することにより、番組放送を構成する様々な情報を番組放送中に同期してメタデータ化することが可能になり、従来の人手によるメタデータ生成作業を大幅に削減し、かつ正確な情報を付与することができるという効果が得られる。
＜外部データベースを使用する場合＞
さらに、図１７及び図１８に示すように、制御信号属性情報管理部１４において、属性情報の詳細情報を格納しているデータベースへ接続するデータベース検索部１４４を備え、データベース７０から取得した詳細情報をインデックス生成部１３で生成するメタデータに自動付与するようにしても良い。本実施例においてデータベース７０は人物情報データベース７１、ニュースデータベース７２、及び台本データベース７３を備えており、これらはオンライン接続されている。図１９に示すように、人物情報データベース７１には、人物名、性別、生年月日、出身地等が紐付けられて管理されている。また、ニュースデータベース７２には、映像情報、内容、ロケ地等が紐付けられて管理されている。また、台本データベース７３には、文字列情報、映像情報、出演者等が紐付けられて管理されている。
【００５５】
次に、図２０を用いてメタデータ生成までの処理手順を説明する。制御信号属性情報管理部１４において、インデックス生成部１３から送られてくる各種機器の識別子を属性情報管理部１４２が取得するに従い、属性情報管理部１４２は、属性情報データベース１４３に対して、識別子に紐付けられている属性情報があるか否かを問い合わせる（Ｓ２０１）。属性情報データベース１４３は、識別子に紐付けられている属性情報について検索し（Ｓ２０２）、属性情報管理部１４２へ属性情報を通知する。属性情報管理部１４２は通知された属性情報を識別子と紐付ける一方（Ｓ２０３）、属性情報をデータベース検索部１４４に送る。データベース検索部１４４は、人物情報データベース７１、ニュースデータベース７２、及び台本データベース７３に対して属性情報の詳細情報があるか否かを問い合わせる（Ｓ２０４）。ここで、各種データベースへの問い合わせは選択的に行うようにしても良い。各種データベース７１乃至７３は、属性情報に紐付けられている詳細情報について検索し、データベース検索部１４４を介して属性情報管理部１４２へ詳細情報を通知する。属性情報管理部１４２は、属性情報データベース１４３から取得した属性情報、ならびに各種データベース７１乃至７３から取得した詳細情報を紐付けてインデックス生成部１３へ通知する（Ｓ２０６）。
【００５６】
以上の処理は、ひとつの識別子を元に紐付けられた属性情報について詳細情報を検索するものであるが、属性情報が複数ある場合は、新たな属性情報を検索キーとして詳細情報を検索する。そして、制御信号属性情報管理部１４が属性情報を元に検索した詳細情報を属性情報とともにインデックス生成部１３へ送ると、インデックス生成部１３は、生成しているメタデータに通知された属性情報及び詳細情報を付与する。図２１及び図２２に示すのは属性情報及び詳細情報を付与したメタデータの例である。
【００５７】
以上、制御信号属性情報管理部は、自身が管理している属性情報の詳細情報を検索するデータベース検索部１４４を備えることにより、識別子を元に取得した属性情報について、外部のデータベース７１乃至７３からその詳細情報を取得することができ、これをメタデータに付与することができる。識別子に紐付けられている属性情報を元に詳細情報を取得することができるので、制御信号属性情報管理部１４で管理する属性情報は必要最低限な情報でよい。
【００５８】
以上、本実施例によれば、番組放送中の各種機器の使用状態について、それら制御信号を制御信号検知部が検知してそれらの種別、識別子を判別するとともに時刻を取得し、これらをインデックス生成部が取得するに従い、メタデータを自動生成するようにしている。また、インデックス生成部は、各種制御信号の識別子とその属性情報とを紐付けて管理させた制御信号属性情報管理部に対して、判別された識別子に紐付けられている属性情報を要求、取得し、それをメタデータに自動付与するようにしている。すなわち、本実施例は、番組放送を構成する様々な情報を示すメタデータの生成を番組放送中に同期して自動生成することが可能になり、従来の人手によるメタデータ生成作業を大幅に削減し、かつ正確な情報を付与することができるという効果が得られる。また、識別子に紐付けられている属性情報を元に、さらに他のデータベースからその詳細情報を取得して、メタデータに付与することもできるので、属性情報が少ない場合でも、それを検索キーとして詳細情報を取得することにより、詳細情報が正確で情報豊富なメタデータを自動的に生成することができる。
【実施例２】
【００５９】
以下、本発明の第２実施例を説明する。実施例１では、番組放送を構成する様々な情報について、番組放送中に同期して自動的にメタデータ化しているが、本実施例では、中間データとしてログデータを出力することにして、番組放送中とは非同期にログデータを入力することでメタデータ化することを特徴としている。図２３は、本発明の一実施の形態に係るインデックス付与システムのメインブロックの構成である。図１に示したインデックス付与システムと同様の構成には同一の符号を付し、重複した説明は省略する。図１に示したシステムと異なる構成は、ログ解析部２３０を備えたことにある。ログ解析部２３０は、制御信号検知部１２から制御信号の種別や識別子と時刻を取得するに従い、ログデータを生成し、出力するものである。図２５に示すように、ログデータは識別子毎に時刻を整理したデータである。また、図２４に示すように、ログ解析部は、ログデータを生成し、ネットワークあるいはリムーバブルメディア２３３へログデータを出力するログ出力部２４１と、ログデータを入力してインデックス生成部１３へログデータを送るログ入力部２４２とを備えている。なお、ここでいうネットワークはオンライン接続されたものが考えられ、また、リムーバブルメディア２４３はＣＤ−ＲＯＭやフレキシブルディスク、ＤＶＤ、ＳＤメモリカードなど記録媒体が考えられる。また、ログ解析部２３０は、ネットワークや記録媒体を介さなくてもよく、単に識別子毎に時刻を整理したログデータを生成して、これを出力するブロックでも良く、物理的に一体になっているものでもよい。
【００６０】
ログ解析部２３０のログ出力部２４１は、制御信号検知部１２から制御信号の識別子と検知時刻を取得するに従い、識別子毎に時刻を整理していきログデータを生成する（図２５参照）。図に示すログデータはピンマイクの制御信号を識別子毎にログ化したものである。ピンマイクは発話の開始及び終了時刻をみているので、ここに示されている時刻は、出演者の発話開始及び終了を繰り返した状態が示される。
【００６１】
生成されたログデータはログ出力部２４１からネットワークあるいはリムーバブルメディア２４３を介してログ入力部２４２に入力され、ログ入力部２４２は、インデックス生成部１３へログデータを送る。識別子毎に時刻が整理されたログデータをインデックス生成部１３が取得するに従い、インデックス生成部１３は図１２に示すようなメタデータを生成する。ログデータは識別子毎に時刻が整理されているので、まとめてメタデータ化することができる。
【００６２】
また、その一方、インデックス生成部１３は、ログデータに示されている識別子を用いて、制御信号属性情報管理部１４に対して、紐付けて管理されている属性情報を問い合わせる。制御信号属性情報管理部１４はインデックス生成部１３から識別子を取得すると、紐付けられている属性情報を取得し、それをインデックス生成部１３に対して通知し、これに従い、インデックス生成部１３は生成しているメタデータにその属性情報を付与する。
【００６３】
なお、本実施例では、一例としてピンマイク制御信号を検知した場合に生成するログデータを説明したが、上記実施例１で説明した、ＶＴＲ、テロップ、あるいはカメラやＲＦタグの制御信号を検知した場合でも、同様にログデータは生成でき、実施例１と同様、図１４及び図１６に示すようなメタデータを生成できる。また、制御信号属性情報管理部１４は、ログデータに示されている識別子から取得した属性情報を検索キーとして、さらにデータベース検索部１４４から人物情報データベース７１、ニュースデータベース７２、及び台本データベース７３へアクセスし、詳細情報を取得するようにしても良い。この場合、実施例１と同様、図２１及び図２２に示すようなメタデータが生成される。
【００６４】
以上、本実施例によれば、番組放送中の各種機器の使用状態について、それら制御信号を検知してそれらの種別、識別子を判別するとともに時刻を取得し、これらをログ解析部が取得すると、識別子毎に時刻を整理したログデータを生成している。そして生成されたログデータをインデックス生成部が取得するに従い、インデックス生成部はメタデータを自動生成するようにしている。また、インデックス生成部は、各種制御信号の識別子とその属性情報とを紐付けて管理させた制御信号属性情報管理部に対して、判別された識別子に紐付けられている属性情報を要求、取得し、それをメタデータに自動付与するようにしている。すなわち、本実施例は、判別した制御信号の種別、識別子及び時刻を用いて、識別子毎に時刻を整理したログデータを生成することにより、番組放送を構成する様々な情報のメタデータ化を、例えば録画収録番組において収録映像の編集作業が完了した後にログデータをメタデータ化するといったように、番組撮影時に同期しなくても任意のタイミングで自動的に番組放送を構成する様々な情報のメタデータ生成が実現可能になり、従来の人手によるメタデータ生成作業を大幅に削減し、かつ正確な情報を付与することができるという効果が得られる。
【産業上の利用可能性】
【００６５】
以上で詳細に説明したように、放送局の番組放送において、放送時に利用される各種制御信号とその信号に付随する情報を属性情報として予め設定しておくことにより、制御信号の検知をトリガとして自動的にメタデータ化することが可能になる。また、正確なインデキシングが実行でき、人手による修正作業の手間を省くという効果を得ることができる。さらに、ＶＴＲ編集装置やテロップ作成装置などとオンライン接続することによって、人手による属性情報の事前設定をも簡略化することが可能になる。
【図面の簡単な説明】
【００６６】
【図１】本発明の一実施の形態に係るインデックス付与システムの全体構成を示したブロック図
【図２】放送局で使用するインデックス付与システムの運用形態を示したブロック図（実施例１）
【図３】制御信号検知部の内部構成を示したブロック図
【図４】音圧レベルを検知する制御信号検知部の内部構成を示したブロック図
【図５】デジタル化された制御信号の構造を示した図
【図６】制御信号種別管理部で管理されているデータ構成を示した図
【図７】制御信号属性情報管理部の内部構成を示したブロック図
【図８】属性情報データベースに登録される識別子と属性情報との対応関係を示した図（ピンマイク）
【図９】音声制御信号の音圧レベルを判定する処理を示したフロー図
【図１０】音声制御信号を検知し、メタデータ生成要求を行う処理を示したフロー図
【図１１】各種ピンマイクとそれらの使用開始時刻及び使用終了時刻を模式的に示した図
【図１２】音声制御信号を検知することにより生成されるインデックス情報をＸＭＬ表現した例
【図１３】属性情報データベースに登録される識別子と属性情報との対応関係を示した図（ＶＴＲ）
【図１４】ＶＴＲ制御信号を検知することにより生成されるインデックス情報をＸＭＬ表現した例
【図１５】属性情報データベースに登録される識別子と属性情報との対応関係を示した図（テロップ）
【図１６】テロップ制御信号を検知することにより生成されるインデックス情報をＸＭＬ表現した例
【図１７】外部データベースを用いる場合のインデックス付与システムを示したブロック図
【図１８】外部データベースを用いる場合の制御信号属性情報管理部の内部構成を示したブロック図
【図１９】各種外部データベースに登録される情報を示した図
【図２０】属性情報に紐付けられた情報を各種外部データベースから取得する処理を示したフロー図
【図２１】外部データベースから取得する情報をインデックス情報に付与してＸＭＬ表現した例（ピンマイク）
【図２２】外部データベースから取得する情報をインデックス情報に付与してＸＭＬ表現した例（テロップ）
【図２３】本発明の一実施の形態に係るインデックス付与システムの全体構成を示したブロック図（実施例２）
【図２４】放送局で使用するインデックス付与システムの運用形態を示したブロック図（実施例２）
【図２５】各種制御信号の種別や識別子と時刻を取得するに従い、生成したログデータを示した図（ピンマイク）
【符号の説明】
【００６７】
１  スタジオ
２  調整ブース
１０  インデックス付与システム
１１  番組放送スタジオシステム
１２  制御信号検知部
１２１  制御信号種別判別部
１２２  制御信号種別管理部
１２３  マイク信号音圧レベル判別部
１２４  インデックス生成要求部
１２５  時刻取得部
１３  インデックス生成部
１４  制御信号属性情報管理部
１４１  属性情報登録部
１４２  属性情報管理部
１４３  属性情報データベース
１４４  データベース検索部
１５  カメラ切替スイッチ
１６  ＶＴＲ切替スイッチ
１７  テロップ切替スイッチ
１８  音声切替スイッチ
１９  編集スイッチ
２０  ピンマイク
３０  スタジオカメラ
４０  ＶＴＲ制御機
４１  編集ＰＣ
４２  カートマシン
５０  テロップ発生機
５１  テロップ作成機
６０  中継制御機
７０  外部データベース
７１  人物情報データベース
７２  ニュースデータベース
７３  台本データベース
２３０  ログ解析部
２４１  ログ出力部
２４２  ログ入力部
２４３  リムーバブルメディア
【図１】
2005204291.tif 000003
【図２】
2005204291.tif 000004
【図３】
2005204291.tif 000005
【図４】
2005204291.tif 000006
【図５】
2005204291.tif 000007
【図６】
2005204291.tif 000008
【図７】
2005204291.tif 000009
【図８】
2005204291.tif 000010
【図９】
2005204291.tif 000011
【図１０】
2005204291.tif 000012
【図１１】
2005204291.tif 000013
【図１２】
2005204291.tif 000014
【図１３】
2005204291.tif 000015
【図１４】
2005204291.tif 000016
【図１５】
2005204291.tif 000017
【図１６】
2005204291.tif 000018
【図１７】
2005204291.tif 000019
【図１８】
2005204291.tif 000020
【図１９】
2005204291.tif 000021
【図２０】
2005204291.tif 000022
【図２１】
2005204291.tif 000023
【図２２】
2005204291.tif 000024
【図２３】
2005204291.tif 000025
【図２４】
2005204291.tif 000026
【図２５】
2005204291.tif 000027